(57)【要約】【課題】広告内容を、簡単迅速かつ安価に製作することができるうえに、その変更ないし更新に迅速に対応することができる低コストの移動体広告システムを提供する。【解決手段】タクシー３の屋根３ａに配設された表示装置２と、広告情報を記録したＤＶＤ−Ｒ／Ｗと、このＤＶＤ−Ｒ／Ｗに記録された広告情報を読み取り、上記表示装置に表示させる読取再生装置と、を具備している。【選択図】  図１
2006053187.tif 000002
【特許請求の範囲】
【請求項１】
自動車や電車等移動体の外部に配設された表示装置と、
広告情報を記録した記録媒体と、
この記録媒体に記録された広告情報を読み取り、上記表示装置に表示させる読取再生装置と、
を具備していることを特徴とする移動体広告システム。
【請求項２】
上記記録媒体は、上記広告情報に関連付けてこの広告情報を上記表示装置に表示させる時刻を指定する指定時刻情報を記録しており、
上記読取再生装置は、上記広告情報の指定時刻情報を検出したときに、その指定時刻が指定された広告情報をその指定時刻に上記表示装置に表示させる指定時刻時表示手段を具備していることを特徴とする請求項１記載の移動体広告システム。
【請求項３】
上記表示装置により表示された広告情報の累積表示時間を広告情報毎または広告主毎にカウントし、その累積表示時間を上記記録媒体または他の記録媒体に記録する累積表示時間記録手段を具備していることを特徴とする請求項１または２記載の移動体広告システム。
【請求項４】
上記累積表示時間記録手段は、上記読取再生装置に配設されていることを特徴とする請求項３記載の移動体広告システム。
【請求項５】
上記表示装置は、自動車のルーフキャリアに固定されていることを特徴とする請求項１〜４のいずれか１項に記載の移動体広告システム。
【発明の詳細な説明】
【技術分野】
【０００１】
本発明は、タクシーや乗合いバス等の移動体を広告媒体として利用する移動体広告システムに関する。
【背景技術】
【０００２】
従来、自動車を広告媒体として利用する移動体広告方法の一例としては、トラック等の荷台に、広告用塗装看板やイルミネーションを搭載した広告専用車両を製作し、この広告専用車両を鉄道の駅前や繁華街等多数人が集まる場所と時間帯等で駐停車し、または低速で同一地域を繰り返し走行させる方法がある。
【０００３】
しかしながら、このような移動体広告方法では、広告用塗装看板やイルミネーション等の広告媒体を、広告情報毎や広告主毎に製作するので、製作コストが高くなるうえに、量産が容易ではなく、さらに、広告情報の更新毎に更新しなければならないので、維持コストが非常に嵩むという課題がある。
【０００４】
そして、これら広告媒体の製作や更新を迅速に行なうことが容易ではないので、今日の広告情報の迅速な変化に対応し難いという課題がある。
【０００５】
そこで、近年では、広告車両に幕式表示装置を設けた移動体広告システム（特許文献１）が提案されている。
【０００６】
この幕式表示装置は、複数種類の広告が表示された表示幕を移動させることにより広告を切り替え、複数種類の広告を表示させるものである。
【特許文献１】特開２００３−７６３０４号公報
【発明の開示】
【発明が解決しようとする課題】
【０００７】
しかしながら、このような従来の移動広告表示システムでは、広告内容を変更ないし更新する場合には、既存の広告表示幕の撤去と、変更ないし更新と、再装着とが必要となり、やはり広告表示幕を迅速に変更ないし更新し難いという課題がある。このために、今日の迅速な広告内容の変更ないし更新に迅速に対応し難い、という課題がある。
【０００８】
また、広告専用車の広告表示幕を可及的多数の人々に見せるために駅前等人出の多い地域を低速で繰り返し走行させ、または駐停車させるので、交通渋滞を増大させるうえに、排気ガスによる外気汚染の悪化を招き、広告目的のためだけに広告車両を走行させるのは、国家経済全体から見ても無駄が多い。
【０００９】
また、広告表示時間を広告の種類に応じてそれぞれ別々に設定するためには、次の広告表示幕へ移動を開始するまでのリードタイムをタイマー等により設定管理する必要が生じる。さらに広告内容を変更する度に、当該タイマーの設定も手作業で変更する必要が生じる。
【００１０】
本発明はこのような事情を考慮してなされたもので、その目的は、広告内容を、簡単迅速かつ安価に製作することができるうえに、その変更ないし更新に迅速に対応することができる低コストの移動体広告システムを提供することにある。
【課題を解決するための手段】
【００１１】
請求項１に係る発明は、自動車や電車等移動体の外部に配設された表示装置と、広告情報を記録した記録媒体と、この記録媒体に記録された広告情報を読み取り、上記表示装置に表示させる読取再生装置と、を具備していることを特徴とする移動体広告システムである。
【００１２】
請求項２に係る発明は、上記記録媒体は、上記広告情報に関連付けてこの広告情報を上記表示装置に表示させる時刻を指定する指定時刻情報を記録しており、上記読取再生装置は、上記広告情報の指定時刻情報を検出したときに、その指定時刻が指定された広告情報をその指定時刻に上記表示装置に表示させる指定時刻時表示手段を具備していることを特徴とする請求項１記載の移動体広告システムである。
【００１３】
請求項３に係る発明は、上記表示装置により表示された広告情報の累積表示時間を広告情報毎または広告主毎にカウントし、その累積表示時間を上記記録媒体または他の記録媒体に記録する累積表示時間記録手段を具備していることを特徴とする請求項１または２記載の移動体広告システムである。
【００１４】
請求項４に係る発明は、上記累積表示時間記録手段は、上記読取再生装置に配設されていることを特徴とする請求項３記載の移動体広告システムである。
【００１５】
請求項５に係る発明は、上記表示装置は、自動車のルーフキャリアに固定されていることを特徴とする請求項１〜４のいずれか１項に記載の移動体広告システムである。
【発明の効果】
【００１６】
本発明によれば、ＤＶＤ等の記録媒体に広告情報を電子的に記録することにより広告記録媒体を作成するので、その広告記録媒体を簡単迅速かつ安価に大量に作成することができるうえに、この広告情報の変更ないし更新にも簡単迅速に対応することができる。
【００１７】
しかも、広告情報を表示する表示装置を、タクシーや乗合いバス等比較的人出の多い地域を移動する移動体の外部に設けるので、この表示装置に表示される広告情報を、駅前や繁華街等の歩行者や利用者等に広い地域で視認させ、周知させることができるので、広告宣伝効果が高い。
【発明を実施するための最良の形態】
【００１８】
以下、本発明の実施形態を添付図面に基づいて説明する。これら添付図面中、同一または相当部分には同一符号を付している。
【００１９】
（第１の実施形態）
図１は本発明の第１実施形態に係る移動体広告システム１の表示装置２を屋根上に配設したタクシー３の側面図、図２はそのタクシー３内に配設した読取再生装置４およびその周辺を示す一部切欠斜視図である。
【００２０】
図１，図２に示すように移動体広告システム１は、移動体の一例であるタクシー３の外部である屋根３ａ上に配設した表示装置２と、このタクシー３内の運転席３ｂの近傍に設置した読取再生装置４と、ＤＶＤ−Ｒ／Ｗ（Digital Versatile Disc Rewritable）５等の読書き可能な記録媒体を具備している。表示装置２と読取再生装置４は図示省略の車載バッテリーを電源として使用する。
【００２１】
表示装置２はカラーまたはモノクロのＣＲＴ（陰極線管）やＬＣＤ（液晶表示ディスプレイ）、ＰＤＰ（プラズマディスプレイ）等のディスプレイ装置であり、耐水、耐熱、耐振手段の少なくともいずれかを具備した全天候型ないし高耐候性のものが望ましい。
【００２２】
表示装置２は、例えば横長等所要形状に形成され、タクシー３の屋根３ａ上に設けたルーフキャリア３ｃ上に、図示しないクランプ装置等により後付けにより据付固定され、屋根３ａとの間に通風可能な間隙ｇを形成している。
【００２３】
表示装置２は、その表示面２ａをタクシー３の走行方向に向って左側、すなわち、タクシー３の走行車線に隣接した歩道側に向けて固定されている。但し、ルーフキャリア３ｃ上にて２台の表示装置２，２を背中合せに貼り合わせることにより、これら２台の表示面２ａを走行車線の両側の歩道に向けて設けてもよい。
【００２４】
図２に示すように読取再生装置４は、タクシー３内の運転席３ｂの周辺、例えばステアリングホイール６の一側方のダッシュボード等に後付け等により配設され、図示しない信号線を介して車外の表示装置２に電気的に接続されている。
【００２５】
読取再生装置４は、モニタ４ａ、操作部４ｂ、ＤＶＤ−Ｒ／Ｗ５等の記録媒体を出入させるスリット４ｃを備えている。操作部４ｂには、読取り再生を開始させる再生開始ボタン、読取り再生を停止させるボタン、ＤＶＤ−Ｒ／Ｗ５を外部に排出するイジェクトボタン等を有する。
【００２６】
読取再生装置４は、そのスリット４ｃ内にＤＶＤ−Ｒ／Ｗ５が挿入され、操作部４ｂの図示しない再生開始ボタンがＯＮされたときに、ＤＶＤ−Ｒ／Ｗ５に電子的に記録された広告情報を、その記録順に従って順次かつエンドレスで繰返し読み取り、モニタ４ａと表示装置２とにそれぞれエンドレスで表示するものである。これら広告情報のエンドレスの読取りと再生表示は操作部４ｂの再生停止操作ボタンのＯＮ操作により停止させることができる。なお、図２中、符号７はタクシー３の走行距離をカウントするタクシーメータである。
【００２７】
広告情報は所要の広告主の企業自体やその商品やサービス等を広告宣伝する情報であって、カラーまたは、モノクロの文字や図形、記号等の静止画または動画等であり、デジタル・ウォータマーキング等のプロテクトが施されている。また、ＤＶＤ−Ｒ／Ｗ５への１つ（１単位）の広告情報の記録量は、その表示時間に基づいて広告料金に応じて予め設定されている。
【００２８】
すなわち、広告料金は、ＤＶＤ−Ｒ／Ｗ５等に記録された広告情報が表示装置２により表示される見做し表示時間、タクシー３の稼働台数および日数等に基づいて課金される。
【００２９】
図３は広告情報を作成する広告受託会社のサーバ８により広告主Ａ〜Ｎの広告原稿をインターネット９を介して収集する場合のブロック図を示している。
【００３０】
すなわち、広告主Ａ〜Ｎは、その顧客端末１０Ａ〜１０Ｎから、インターネット９を介して、広告受託会社のサーバ８が開設しているウェブサイトにアクセスし、そのサーバ８に、広告原稿を送信する。
【００３１】
サーバ８はこの広告原稿を収集してデータベースに蓄積する一方、このデータベースの広告原稿情報を参照して広告情報を編集、作成し、ＤＶＤ−Ｒ／Ｗ５に所定順に記録する。
【００３２】
その記録の際に、広告情報の破壊や改竄を防止するための所要のプロテクトを掛ける。したがって、通常は、１枚のＤＶＤ−Ｒ／Ｗ５に、複数の広告主または商品やサービスの広告情報が所定順に記録される。
【００３３】
なお、この広告原稿の広告主Ａ〜Ｎから広告受託会社への送付は、郵便や宅配便、ＦＡＸ等でもよい。
【００３４】
しかる後に、この広告情報を記録したＤＶＤ−Ｒ／Ｗ５は、広告受託契約等を締結したタクシー会社等に配布される。そこで、このタクシー会社の運転手がタクシー３を稼働させるときに、このＤＶＤ−Ｒ／Ｗ５を読取再生装置４のスリット４ｃ内に挿入させ、操作部４ｂの再生開始のボタンを押す。
【００３５】
すると、このＤＶＤ−Ｒ／Ｗ５に記録された広告情報が読取再生装置４により所定の記録順に順次読み取られ、モニタ４ａと車外の表示装置２の表示面２ａに、カラーまたはモノクロの静止画や動画で順次かつエンドレスで広告情報が表示される。
【００３６】
一般に、タクシー３は、多くの乗客を求めて鉄道の駅前や繁華街等多数の人が集まる地域を走行し、または駐停車することが多いので、表示装置２も多数人により目視される機会が非常に多い。特に駅前のタクシー乗場でタクシーが客降ろしや客待ち等で駐停車すると、タクシー待ちや歩行者等多数人の視線を集め、目視される機会が多いので、広告情報の広告宣伝効果が特に高い。
【００３７】
しかも、読取再生装置４は、一旦広告情報の読取り再生を開始すると、読取り再生を停止させる停止操作をするまでエンドレスで繰り返し表示装置２に表示させるので、その間、タクシー運転手は何らの操作をする必要もないので、タクシー３の営業と安全運転を害することがない。
【００３８】
さらに、広告情報をＤＶＤ−Ｒ／Ｗ５に電子的に記録することにより、広告媒体を簡単かつ迅速に低コストで大量に作成することができるうえに、広告情報の変更ないし更新に簡単迅速に対応することができる。
【００３９】
また、表示装置２と読取再生装置４は、タクシー３に後付け可能であるので、既存のタクシー３に簡単迅速に据え付けることができる。
【００４０】
さらに、タクシー３の屋根３ａと表示装置２との間には、通風可能の間隙ｇを形成しているので、表示装置２の過熱を防止ないし低減することができる。
【００４１】
さらに、広告受託会社のサーバ８から広告主の広告情報の表示に関する情報を提供することにより、広告主Ａ〜Ｎは、その顧客端末１０Ａ〜１０Ｎにより自社等の広告情報の表示に関する情報を入手することができる。
【００４２】
（第２の実施形態）
本発明の第２の実施形態に係る移動体広告システムは、上記第１の実施形態に係る移動体広告システム１において、上記ＤＶＤ−Ｒ／Ｗ５に、全部または特定の広告情報に、その広告情報を表示すべき時刻を指定する指定時刻情報をファイルの属性として記録する一方、読取再生装置４に指定時刻時表示手段を設けた点に特徴がある。
【００４３】
指定時刻時表示手段は、所要の広告情報に関連付けて付記された広告情報を表示すべき時刻を指定した指定時刻情報を、ＤＶＤ−Ｒ／Ｗ５から読み取ったときに、内蔵クロックのクロックを参照して、その指定時刻の到来時に、その指定された広告情報を、その記録順を無視して表示装置２に強制的に表示させるものである。
【００４４】
この第２の実施形態によれば、タクシー３の表示装置２に表示すべき広告情報の表示時刻を指定できるので、例えば同一または所要の広告情報を多くのタクシー３の表示装置２に、同一の指定時刻に一斉に表示させることができる。これにより、この広告情報を見る人に意外性と驚きを与えることにより、広告宣伝の効果を一層高めることができる。
【００４５】
さらに、上記読取再生装置４に、累積表示時間記録手段を設けてもよい。この累積表示時間記録手段は、表示装置２により実際に表示された広告情報の実表示時間の累計をカウントし、この累積表示時間データを広告主毎または広告情報毎に、上記ＤＶＤ−Ｒ／Ｗ５、または累積表示時間データ記録専用等、他のＤＶＤ−Ｒ／Ｗやメモリースティック等のＩＣ（集積回路）メモリー等の記録媒体に記録するものである。
【００４６】
これによれば、累積表示時間データを記録したＤＶＤ−Ｒ／Ｗ５や他の記録媒体を広告受託会社が回収し、この累積表示時間データに基づいて広告料金を広告主Ａ〜Ｎに請求するので、広告料を正確かつ公平に請求することができる。すなわち、広告情報の実表示時間に基づいて広告料を広告主Ａ〜Ｎに請求するので、広告料の公平性を担保することができると共に、広告情報を実際に表示したとの根拠とすることができる。そして、上記ＤＶＤ−Ｒ／Ｗ５への指定時刻情報と累積表示時間データの記録にはデータの改竄防止のプロテクトを施す。
【００４７】
なお、上記各実施形態では、移動体としてタクシー３を使用した場合について説明したが、本発明はこれに限定されるものではなく、一般自動車や例えば図４〜図６で示すトラック１１、乗合いバス１２、電車１３でもよく、これら移動体の車体外側面に、上記表示装置２を設ける一方、これら車内の運転席等に上記読取再生装置４を配設してもよい。
【００４８】
これらによっても、トラック１１や乗合いバス１２、電車１３が移動する広い地域に亘って多くの人に表示装置２を視認させることができるので、この表示装置２に表示される広告情報の広告宣伝効果の向上を図ることができる。
【００４９】
また、表示装置２の設置箇所も移動体の屋根上や車体外側面に限定されるものではなく、移動体の外部であればよい。
【図面の簡単な説明】
【００５０】
【図１】本発明の第１実施形態に係る移動体広告システムの表示装置を屋根上に設けた状態を示すタクシーの側面図。
【図２】図１で示すタクシーの車内に配設された読取再生装置とその周辺部を示す一部切欠斜視図。
【図３】図１，図２で示す移動体広告システムのＤＶＤ−Ｒ／Ｗに記録される広告情報の広告原稿情報を、インターネットを介して送信する場合の通信系統を示すブロック図。
【図４】本発明に係る表示装置を配設したトラックの側面図。
【図５】本発明に係る表示装置を配設した乗合いバスの側面図。
【図６】本発明に係る表示装置を配設した電車の側面図。
【符号の説明】
【００５１】
１  移動体広告システム
２  表示装置
３  タクシー
３ｃ  ルーフキャリア
４  読取再生装置
４ａ  モニタ
４ｃ  スリット
５  ＤＶＤ−Ｒ／Ｗ
８  広告受託会社のサーバ
１０Ａ〜１０Ｎ  顧客端末
１１  トラック
１２  乗合いバス
１３  電車
【図１】
2006053187.tif 000003
【図２】
2006053187.tif 000004
【図３】
2006053187.tif 000005
【図４】
2006053187.tif 000006
【図５】
2006053187.tif 000007
【図６】
2006053187.tif 000008